(57)【特許請求の範囲】
【請求項１】
収納枠内に収納の椅子が下端に昇降床を連設させながら起立状態のまま収納枠内に配在の昇降手段で昇降可能とされる一方で、収納枠の上端に固定床と面一に配設の開閉蓋がその開成時に椅子の昇降を許容すると共にその閉成時に固定床とに共に床の一部を形成してなり、収納枠内に配在されて収納枠側に一端が回転可能に連結されたリンク部材の他端が開閉蓋の裏面側における任意の部位に回転可能に連結されると共に、収納枠内に配在されて収納枠側に基端側が定着された駆動機構の先端が開閉蓋の裏面側における他方端に回転可能に連結されてなり、駆動機構による開閉蓋の開成作動時に開閉蓋が収納枠内に引き込み態様に退避されてなる椅子の収納構造において、開閉蓋の一端を形成する垂れ壁が開閉蓋の閉成時に収納枠を構成する基枠に当接されて開閉蓋を担持すると共に、昇降床の一端に連設の補助床が開閉蓋の開成時に昇降床の一端外方に出現する開口を閉塞してなることを特徴とする椅子の収納構造
【発明の詳細な説明】
【０００１】
【産業上の利用分野】
この発明は、椅子の収納構造に関し、特に、多目的ホール等の床に設置される椅子への利用に最適となる椅子の収納構造の改良に関する。
【０００２】
【従来技術とその課題】
近年、多目的ホールや体育館等の床は、その利用目的に応じて平床あるいは階段状床等に自在に変更できるように、予め適宜に細分化されている床が昇降可能に形成されていることが多い。
【０００３】
そして、その際に床に設置される椅子は、その不使用時に、これが床下に収納されるとする傾向にあり、このような椅子の収納構造として、例えば、特開平２−１５３１７２号公報あるいは実開平２−９１８５１号公報にそれぞれ開示の提案がある。
【０００４】
この何れのものに依るも、必要なときに床下に収納されている椅子を床上に設置することが可能になるが、最近のように、椅子が所謂嵩張る傾向になる豪華な仕様のものとされる場合には、上記の何れの提案の利用も好ましくないことになる不都合が指摘されている。
【０００５】
即ち、前者の提案にあっては、椅子を利用する者の足元となる床部分を片開き構造の開閉蓋にすると共に、該開閉蓋の開成時に椅子を所謂前後方向となる縦方向に旋回して、利用可能な起立状態あるいは不使用時の収納状態におくように構成されている。
【０００６】
従って、椅子が大きくなる、即ち、椅子の背丈が大きくなるに従い、上記開閉蓋たる床における前後方向の長さが大きくなり、椅子を利用する者の足元となる床部分を必要以上に大きくすることになる。
【０００７】
その結果、椅子を豪華な仕様にすればする程、椅子の設置数が抑制されることになり、収容人員数の減少を招来させることになる不都合がある。
【０００８】
また、後者の提案にあっては、椅子が昇降される一方で、収納状態にある椅子の上方の床が片開き構造の開閉蓋とされ、椅子が利用可能な上昇状態におかれるときには、該開閉蓋が椅子の背後の下方に開成状態のままにおかれる構成とされている。
【０００９】
従って、椅子がその所謂厚さを増して前後方向に大きくなるに従い、上記開閉蓋が前後方向に大きく形成されることになり、その結果、開成状態のままにおかれた大きな開閉蓋が後方の着席者の視界に入り易くなり、椅子を豪華な仕様にすればする程、外観上の所謂見栄えを悪くすることになる不都合がある。
【００１０】
この発明は、前記した事情に鑑みて創案されたものであって、その目的とするところは、椅子を豪華な仕様にしても収容人員数の減少を招来させず、また、所謂見栄えを悪くせずして、多目的ホール等の床に設置される椅子への利用に最適となる椅子の収納構造を提供することである。
【００１１】
【課題を解決するための手段】
上記した目的を達成するために、この発明に係る椅子の収納構造の構成を、収納枠内に収納の椅子が下端に昇降床を連設させながら起立状態のまま収納枠内に配在の昇降手段で昇降可能とされる一方で、収納枠の上端に固定床と面一に配設の開閉蓋がその開成時に椅子の昇降を許容すると共にその閉成時に固定床と共に床の一部を形成してなり、収納枠内に配在されて収納枠側に一端が回転可能に連結されたリンク部材の他端が開閉蓋の裏面側における任意の部位に回転可能に連結されると共に、収納枠内に配在されて収納枠側に基端側が定着された駆動機構の先端が開閉蓋の裏面側における他方端に回転可能に連結されてなり、駆動機構による開閉蓋の開成作動時に開閉蓋が収納枠内に引き込み態様に退避されてなる椅子の収納構造において、開閉蓋の一端を形成する垂れ壁が開閉蓋の閉成時に収納枠を構成する基枠に当接されて開閉蓋を担持すると共に、昇降床の一端を形成する補助床が開閉蓋の開成時に昇降床の一端外方に出現する開口を閉塞してなるとする。
【００１２】
そして、好ましくは、昇降床の上昇時に補助床と収納枠を構成する基枠との間に露呈される開口を閉塞する目隠し部が補助床に連設されてなるとする。
【００１３】
【作用】
それ故、開閉蓋は、駆動機構の駆動で開閉され、その閉成時には、該開閉蓋が収納枠の上端の開口を閉塞して、床下の収容枠内に収納されている椅子を隠蔽すると共に、垂れ壁の下端が収納枠を構成する基枠に当接されて担持され、固定床と共に床の一部を形成する。
【００１４】
そして、開閉蓋は、その開成時には、納枠内に引き込み状態に退避され、外部に露呈されず、このとき、垂れ壁が固定床と共に床の一部を形成する。
【００１５】
椅子は、昇降手段の作動で起立状態まま昇降し、椅子の昇降は、開閉蓋が開成されているときで、開閉蓋が完全に退避して、収納枠の上端に椅子の通過を許容する開口が形成された状態のときに実行される。
【００１６】
また、椅子の上昇時には、椅子の下端に連設の昇降床が共に上昇して固定床と共に床の一部を形成し、開閉蓋の退避による開口を閉塞すると共に、昇降床が一端に補助床を有することで、この補助床がない場合に補助床の一端外方に出現する開口を閉塞することが可能になる。
【００１７】
そして、補助床に目隠し部が連設される場合には、昇降床の上昇時に補助床と収納枠を構成する基枠との間に露呈される開口を閉塞することが可能になる。
【００１８】
【実施例】
以下、図示した最適な一実施例に基づいて、この発明を詳細に説明するが、図１及び図２に示すように、この実施例に係る椅子の収納構造は、収納枠１と、椅子２と、開閉蓋３と、を有してなる。
【００１９】
収納枠１は、少なくとも、その内部に椅子２を起立状態のままに収納し得るように形成されているもので、図示例にあっては、所謂フレーム構造に形成されてなるとしている。
【００２０】
そして、該収納枠１は、その上端の図中で左方側となる後方側に後述する開閉蓋３を配在させて該収納枠１における所謂上端開口の開閉可能に閉塞すると共に、その上端の図中で右側となる前側に固定床１１を有している。
【００２１】
該固定床１１は、開閉蓋３を必要以上に大きくすることなく、椅子２を利用する者の足元となる床部分を確保するために設けられるが、この固定床１１を設ける場合には、後述する椅子２の下端に連設の板体からなる昇降床２１の大きさを必要以上に大きくしなくて済むことになる点で有利となる。
【００２２】
尚、固定床１１の開閉蓋３に対向する側面の下端側は、これがテーパ面１１ａとされるとして、固定床１１と開閉蓋３との間に出現される隙間の寸法を小さくしながら、開閉蓋３の開閉作動時における互いの干渉を阻止するとしている。
【００２３】
因に、上記収納枠１は、椅子２の収納は勿論であるが、後述する昇降手段４，リンク部材５及び駆動機構６の配在をも可能にするに十分な広さの内部空間を有するように形成されていること勿論である。
【００２４】
椅子２は、図示例にあっては、前記したように、起立状態のままに収納枠１内に収納されるとしているが、適宜の昇降手段４で収納枠１内と床上との間で昇降されるように設定されている。
【００２５】
尚、昇降手段４としては、例えば、油圧シリンダが選択されるとしている。
【００２６】
また、昇降手段４の制御は、図示例にあって、後述する開閉蓋３の開閉作動とは独立した制御で実現されるとしているが、これに代えて、所謂連係された制御とされるとしても良い。
【００２７】
ただ、昇降手段４の制御を開閉蓋３の開閉制御と独立させる場合には、椅子２の仕様が変わることで開閉蓋３の開閉のタイミングに変更を要するようなことになるときにも、容易にこれに対処できることになる点で有利となる。
【００２８】
一方、椅子２は、図示例にあって、前記したように、その下端に板体からなる昇降床２１が連設されており、椅子２の所定位置への上昇時に、該昇降床２１が前記した固定床１１及び後述する開閉蓋３における垂れ壁３ａと共に床の一部を形成するとしている。
【００２９】
即ち、椅子２の所定位置への上昇時に収納枠１の上端に開閉蓋３の退避によって形成される開口を該昇降床２１で閉塞し得ることになる。
【００３０】
因に、該椅子２は、図示例にあって、後述する開閉蓋３の構成から、上記昇降床２１の連設で、板体２１の図中で左端となる一端たる後端に補助床２２を起伏動作可能に連設させてなるとしている。
【００３１】
即ち、開閉蓋３の開成時に収納枠１の上端に形成される開口を上記の昇降床２１で閉塞する際に、所謂残部として露呈される回避できない開口部分を該補助床２２で所謂上面側から閉塞することが可能になる（図２参照）。
【００３２】
そしてまた、この回避できない開口部分を図２中で左側となる後方側からも完全に閉塞するには、図２中に想像線図で示すように、上記補助床２２に目隠し部２２ａを連設するのが好ましい。
【００３３】
開閉蓋３は、その開成時には、収納枠１内に引き込み態様に退避され（図２参照）、図示しないが、収納枠１の上端に開口を形成し、該開口を介しての椅子２の昇降を許容するように設定されている。
【００３４】
また、該開閉蓋３は、その閉成時には、収納枠１の上端開口を閉塞して、床の一部を形成しながら、内部に収納されている椅子２を隠蔽するように設定されている（図１参照）。
【００３５】
因に、開閉蓋３は、図示例にあって、その開成時に後述するリンク部材５及び駆動機構６を介して収納枠１内に引き込み態様に退避されるが故に、図１中で左端となる一端たる後端に垂れ壁３ａを連設している。
【００３６】
そして、該垂れ壁３ａは、開閉蓋３の閉成時には、その下端が収納枠１を構成する基枠１２に当接されるように設定されており、該垂れ壁３ａの基枠１２への当接によって、開閉蓋３の後端が収納枠１に支持された状態になり、このとき、固定床１１と上面を面一にする床を形成するとしている。
【００３７】
また、該垂れ壁３ａは、開閉蓋３の開成時には、前記昇降床２１と固定床１１との間に出現される隙間を閉塞するようにも設定されており、その際には、該垂れ壁３ａの所謂上面が上記固定床１１の上面及び昇降床２１の上面と面一になるようにも設定されている。
【００３８】
尚、開閉蓋３は、図示例にあって、その開成時に椅子２の所謂前方で収納枠１内に引き込み態様に退避されるとしているが、これに代えて、図示しないが、椅子２の所謂後方で収納枠１内に引き込み態様に退避されるとしても良い。
【００３９】
そして、開閉蓋３が椅子２の後方で収納枠１内に引き込み態様に退避されるとする場合には、開閉蓋３の収納枠１内への退避時に、椅子２に着席する者の足元に複数本の所謂隙間が形成されなくなり、視覚上で好ましい形態になる。
【００４０】
ところで、上記開閉蓋３は、図示例にあって、リンク部材５と駆動機構６との協働でその開成及び閉成の各作動をするように形成されている。
【００４１】
即ち、リンク部材５は、収納枠１内に配在されて図１中で下端となるその一端が収納枠１内に配設のブラケット５１に回転可能に連結され、図１中で上端となるその他端が開閉蓋３の裏面側に配設のブラケット３１の中央部に回転可能に連結されている。
【００４２】
尚、上記ブラケット５１は、図示例にあって、収納枠１に連設されて固定側とされる支持部５２に保持されている。
【００４３】
また、リンク部材５の収納枠１に対する連結位置及びリンク部材５における他端の開閉蓋３における裏面側に対する連結位置については、図示例の中央部に代えて、図中で左方端となる一方端寄りの任意の部位とされても良いこと勿論である。
【００４４】
そして、リンク部材５の連結位置が上記の一方端寄りとされる場合には、該リンク部材５の収納枠１に対する連結位置がより下方になると共にリンク部材５が長くなる傾向に設定されることになるが、開閉蓋３の開成及び閉成の各作動時における端部の軌跡が所謂床面より上方に大きく突出されないことになる点で有利となる。
【００４５】
因に、リンク部材５は、開閉蓋３が閉成状態にあるときには、図１に示すように、所謂床の支持部材に置換されることにもなる関係上、直立する状態におかれていることが好ましく、また、円滑な開成作動の保障のためには、少なくとも、図１中で左側となる後方側に倒れないように設定されることである。
【００４６】
尚、リンク部材５の連結位置が上記の一方端から中央部寄りに設定されるに従いリンク部材５の基本長さを小さく設定し得ることになる。
【００４７】
一方、駆動機構６は、図示例にあって、ネジジャッキからなり、操作ロッド６１の回転駆動で駆動部６２に連繋の駆動ロッド６３が昇降するように形成されている。
【００４８】
そして、該駆動ロッド６３の上端が上記ブラケット３１の図１中で右方端となる他方端に回転可能に連結されている。
【００４９】
尚、駆動部６２は、図示例にあって、収納枠１に連設されて固定側とされる支持部６４に保持されている。
【００５０】
また、駆動機構６は、図示例のネジジャッキに代えて、これが液圧ジャッキとされても良い。
【００５１】
それ故、該駆動機構６にあっては、その作動で開閉蓋３の開閉作動が実現されるのは勿論のこと、開閉蓋３が閉成状態にあるとき、該開閉蓋３の一方側端を下方から支持する支持部材としても機能することになる。
【００５２】
従って、該駆動機構６は、開閉蓋３が所定の閉成状態におかれるとき、これによって該駆動機構６、即ち、ネジジャッキに招来される応力あるいは位置に基づいて、その作動が停止されるように設定されるのが好ましい。
【００５３】
以上のように形成されたこの実施例に係る椅子の収納構造は、以下のように作動する。
【００５４】
先ず、図１に示す状態、即ち、開閉蓋３が閉成状態におかれて収納枠１の上端の開口を閉塞する状態のときには、開閉蓋３は、収納枠１内に収納されている椅子２を隠蔽する状態になり、このとき、該開閉蓋３が床の一部を形成することになる。
【００５５】
そして、このとき、開閉蓋３の後端が垂れ壁３ａの収納枠１を構成する基枠１２に担持されながら開閉蓋３の前端が駆動機構６によって支持され、かつ、開閉蓋３の中央部がリンク部材５によって支持されることになり、床として要求される所定の安定性と耐久性とを備えることになる。
【００５６】
また、椅子２を上昇させるときには、開閉蓋３を駆動機構６によって開成する一方で、昇降手段４の上昇作動で椅子２を起立状態のまま上昇させる。
【００５７】
このとき、椅子２は、起立状態のまま上昇されるので、仮に、椅子２が前後方向に厚さを増すように設定されるとしても、開閉蓋３における前後方向の寸法を徒らに大きく設定しなくて済むことになる。
【００５８】
また、上記のとき、開閉蓋３は、駆動機構６の開成作動によってリンク部材５の配在が故に収納枠１内に引き込み状態に退避され、所謂外部に露呈されないことになる（図２参照）。
【００５９】
従って、椅子２が所定の位置に上昇されて利用可能な状態におかれるときに、開成状態にある開閉蓋３が、足元の障害にならず、しかも、後方の着席者の視界に入らなくなる。
【００６０】
そして、上記のとき、開閉蓋３における垂れ壁３ａは、椅子の下端に連設された昇降床２１及び固定床１１と共に床の一部を形成する一方で、この昇降床２１と固定床１１との間に開口を出現させないように機能することになる。
【００６１】
上記の椅子２の上昇は、開閉蓋３が完全に退避して、収納枠１の上端に椅子２の通過を許容する開口が形成された後に実行される。
【００６２】
そして、椅子２がその下端に昇降床２１を連結してなるから、該昇降床２１が椅子２の所定位置への上昇時に床の一部を形成し、開閉蓋３の退避によって出現される開口を閉塞することになる。
【００６３】
上記のようにして起立された椅子２を収納枠１内に収納するには、前記した作業手順の逆をたどれば足りる。
【００６４】
前記した実施例にあっては、収納枠１は、所謂単体に構成されている場合を例にしたものであるが、これに代えて、床が適宜に細分化されて平床あるいは階段状床等に変更可能とされる昇降床構造に構成されている場合に、該昇降床構造を構成する枠体がこの実施例における収納枠１を兼ねるように設定されるとしても良く、その場合に、該収納枠１中に同期作動する同一多数の椅子２が整列配置されてなると共に、一枚の開閉蓋３が上記多数の椅子２を隠蔽するように構成されるとしても良い。
【００６５】
【発明の効果】
以上のように、この発明によれば、椅子を床上に設置するとき、椅子を隠蔽しながら床の一部を形成していた開閉蓋がその開成時には収納枠内に引き込み状態に退避されて外部に露呈されないだけでなく、開閉蓋に連設された垂れ壁が椅子の下端に連設された昇降床及び固定床と共に床の一部を形成する一方で、この昇降床と固定床との間に開口を出現させないように機能することになる。
【００６６】
その結果、実施例のように、開閉蓋が椅子の前方で収納枠内に退避されるように構成される場合には、後方の着席者に開閉蓋の開成状態が視認されなくなるのは勿論のこと、椅子の利用者にも開閉蓋による足元の障害が排除されると共に開閉蓋の開成状態が視認されなくなり、多目的ホール等の床に椅子を設置する際の所謂見栄えを悪くしない利点がある。
【００６７】
また、この発明によれば、収納枠内と床上との間で昇降される椅子が起立状態のまま昇降されるので、椅子が豪華な仕様とされることで所謂厚さが増すことになっても、開閉蓋の前後方向の寸法を徒らに大きく設定する必要がなくなる。
【００６８】
その結果、椅子を豪華な仕様にしても所定の床に所望の数の座席を設けることが可能になり、多目的ホール等における収容人員数の減少を招来させない利点がある。
【００６９】
そして、この発明によれば、椅子を昇降させる昇降手段の制御と開閉蓋の開閉する駆動機構の制御とが連係されるとしても良いのは勿論のこと、両制御が互いに独立されるとすることで、椅子の仕様が変わることで開閉蓋の開閉のタイミングに変更を要するようなことになるときにも、容易にこれに対処できることになる利点がある。
【００７０】
さらに、この発明によれば、開閉蓋が閉成状態におかれるときには、該開閉蓋が収納枠の上端の開口を閉塞して椅子の収容状態を隠蔽すると共に床の一部を形成するのは勿論のこと、開閉蓋の一端たる後端が垂れ壁を介して収納枠に担持されながら開閉蓋の前端が駆動機構で支持され、かつ、開閉蓋の中央部がリンク部材で支持されることになり、床として要求される所定の安定性と耐久性とを容易に実現し得ることになる利点がある。
【００７１】
またさらに、この発明によれば、リンク部材の他端が開閉蓋の裏面側の一方端に近付く傾向に連結される場合には、該リンク部材が長くなる傾向に設定されると共に収納枠内おいてより後方側にその配在位置が設定されることになるが、開閉蓋の開成及び閉成の各作動時における端部の軌跡が所謂床面より上方に大きく突出されないことになる利点がある。
【００７２】
そしてさらに、この発明によれば、椅子がその下端に昇降床を連設してなるから、該昇降床が椅子の所定位置への上昇時に床の一部を形成し、開閉蓋の退避によって形成される開口を閉塞すると共に、この昇降床に連設されている補助床が開閉蓋の開成時に収納枠の上端に形成される開口を所謂上面側から閉塞することが可能になり、さらには、補助床に目隠し部が連設される場合には、この目隠し部が補助枠と収納枠における基枠との間に形成される開口を閉塞することが可能になる利点もある。
【図面の簡単な説明】
【図１】この発明の一実施例に係る椅子の収納構造において椅子を収納した状態を示す縦断面図である。
【図２】上記椅子の収納構造において椅子を上昇させた状態を示す縦断面図である。
【符号の説明】
１ 収納枠
２ 椅子
３ 開閉蓋
３ａ  垂れ壁
４ 昇降手段
５ リンク部材
６ 駆動機構
２１ 昇降床
２２  補助床
２２ａ  目隠し部
【図１】
0003587882.tif 000002
【図２】
0003587882.tif 000003